(57)【要約】【課題】壁面に必要な設置面積を小さくしつつ、利便性に優れた計測モジュール及びこれを備えた計測システムを提供する。【解決手段】計測モジュール６は、電源線に接続される電源端子６４と、コンセント４に接続されて該コンセント４に電力を供給する接続端子６５と、電気機器に供給される電力に関する値を計測する計測部及び計測部で計測された計測データを受信モジュールに伝送する通信部が設けられた回路基板６１と、回路基板６１を収容する筐体４１とを備える。接続端子６５は、コンセント４の奥側から接続穴に挿入されるように形成される。そして、ペアリングを行うための操作スイッチ７５、及び受信モジュールとの通信状態を確認するための通信ランプ７６は、接続端子６５がコンセント４に接続された状態で設置穴１１内に形成される取付枠１６とコンセント４との間の隙間Ｓを介して外部に臨むように設けられる。【選択図】図５
2014059166.tif 000002
【特許請求の範囲】
【請求項１】
壁に形成された設置穴に取付枠を介して埋め込まれる態様で設置されるコンセントに用いられる計測モジュールにおいて、
外部から延びる電源線に接続される電源端子と、
前記コンセントに接続されて該コンセントに電力を供給する接続端子と、
前記コンセントに接続される電気機器に供給される電力に関する値を計測する計測部、及び前記計測部で計測された計測データを無線通信により受信モジュールに伝送する通信部が設けられた回路基板と、
前記回路基板を収容する筐体と、
前記受信モジュールとのペアリングを行うための操作手段と、
前記受信モジュールとの通信状態を確認するための確認手段と、を備え、
前記接続端子は、前記コンセントにおける差込口が開口する手前側と反対の奥側から前記コンセントに接続されるように形成され、
前記操作手段及び前記確認手段は、前記接続端子が前記コンセントに接続された状態で、前記設置穴内に形成される前記取付枠と前記コンセントとの間の隙間を介して外部に臨むように設けられたことを特徴とする計測モジュール。
【請求項２】
請求項１に記載の計測モジュールにおいて、
前記筐体には、前記隙間内に配置されるように膨出した拡張収容部が形成されたことを特徴とする計測モジュール。
【請求項３】
請求項１又は２のいずれか一項に記載の計測モジュールにおいて、
前記取付枠は、前記電源線が挿通される挿通孔を有する収容箱に固定されるものであって、
前記電源端子は、前記挿通孔と対向するように設けられたことを特徴とする計測モジュール。
【請求項４】
請求項３に記載の計測モジュールにおいて、
前記収容箱には、前記取付枠を固定するための取付ネジが螺着される螺着部が内側に突出して形成されたものであって、
前記筐体には、前記螺着部と嵌合する切欠き部が形成されたことを特徴とする計測モジュール。
【請求項５】
請求項１〜４のいずれか一項に記載の計測モジュールにおいて、
前記コンセントには、前記接続端子を保持する保持機構が設けられるとともに、前記保持機構による前記接続端子の保持を解除する解除操作部が奥側に開口する解除操作穴内に設けられたものであって、
前記筐体は、前記解除操作穴の開口を閉塞しない形状とされたことを特徴とする計測モジュール。
【請求項６】
請求項５に記載の計測モジュールにおいて、
前記筐体には、前記解除操作穴と対向する位置に貫通孔が形成されたことを特徴とする計測モジュール。
【請求項７】
請求項１〜６のいずれか一項に記載の計測モジュールと、
前記計測モジュールから伝送される計測データを受信する通信部を有する受信モジュールと、を備えたことを特徴とする計測システム。
【請求項８】
請求項７に記載の計測システムにおいて、
前記受信モジュールの通信部で受信された計測データを記憶する記憶部、及び前記計測データを表示する表示部を有する情報機器を備えたことを特徴とする計測システム。
【発明の詳細な説明】
【技術分野】
【０００１】
本発明は、壁埋め込み型計測モジュール及びこれを備えた計測システムに関する。
【背景技術】
【０００２】
従来、コンセントに接続される電気機器（負荷）の電力等を計測する計測モジュールを備え、この計測モジュールから伝送される計測データを受信モジュールで取得してコンピュータ等の情報機器に表示させるようにした計測システムがある。こうした計測システムを用いることで電気機器の消費電力が可視化され、例えば利用者に電力の無駄遣いを把握させて節電を促進できることから、近年、環境意識の高まりに伴ってその普及が進んでいる。
【０００３】
この種の計測モジュールとしては、コンセントの横に並べて壁に埋め込まれる態様で設置される壁埋め込み型のもの（例えば、特許文献１）や、延長ケーブルを有するテーブルタップと一体的に設置されるテーブルタップ型のもの（例えば、特許文献２）が知られている。そして、前者のものでは、後者のものと異なり室内に設置場所を確保しなくてもよいといった利点がある。
【先行技術文献】
【特許文献】
【０００４】
【特許文献１】特開２００１−８３１９３号公報
【特許文献２】特開２０１２−６３２６５号公報
【発明の概要】
【発明が解決しようとする課題】
【０００５】
ところで、上記特許文献１の構成では、計測モジュールがコンセントの横に並んで配置されているため（特許文献１、第４図参照）、コンセントのみを壁に設置する場合に比べ、壁面に大きな設置面積が必要となる。そのため、コンセントが設置された壁の形状等によっては計測モジュールを設置することができない虞がある。
【０００６】
また、上記のような計測システムでは、計測モジュールから受信モジュールへの計測データの伝送は無線通信を利用することが一般的になってきている。このように無線通信を利用する場合には、使用前に計測モジュールと受信モジュールとを互いに認証させる作業（ペアリング）を行う必要がある。そのため、無線通信を行う計測モジュールでは、利便性確保等の観点から、ペアリングを行うための操作手段（例えばスイッチ）、及びペアリングが完了して受信モジュールと通信可能な状態であるか否かを示す確認手段（例えばＬＥＤ）を容易に外部に露出させることが可能な構成とすることが求められる。
【０００７】
そこで、例えばコンセントと計測モジュールとを一体化した装置を製造することにより、壁面に対する設置面積を小さくするとともに操作手段及び確認手段を容易に外部に露出させる構成とすることが考えられる。しかし、この場合には、例えば計測システムを設置する際に既存のコンセントを利用することができず、設置コストが高くなる等の問題が生じる。
【０００８】
本発明は、上記問題点を解決するためになされたものであって、その目的は、壁面に必要な設置面積を小さくしつつ、利便性に優れた計測モジュール及びこれを備えた計測システムを提供することにある。
【課題を解決するための手段】
【０００９】
上記目的を達成するため、請求項１に記載の発明は、壁に形成された設置穴に取付枠を介して埋め込まれる態様で設置されるコンセントに用いられる計測モジュールにおいて、外部から延びる電源線に接続される電源端子と、前記コンセントに接続されて該コンセントに電力を供給する接続端子と、前記コンセントに接続される電気機器に供給される電力に関する値を計測する計測部、及び前記計測部で計測された計測データを無線通信により受信モジュールに伝送する通信部が設けられた回路基板と、前記回路基板を収容する筐体と、前記受信モジュールとのペアリングを行うための操作手段と、前記受信モジュールとの通信状態を確認するための確認手段と、を備え、前記接続端子は、前記コンセントにおける差込口が開口する手前側と反対の奥側から前記コンセントに接続されるように形成され、前記操作手段及び前記確認手段は、前記接続端子が前記コンセントに接続された状態で、前記設置穴内に形成される前記取付枠と前記コンセントとの間の隙間を介して外部に臨むように設けられたことを要旨とする。
【００１０】
上記構成によれば、接続端子が奥側からコンセントに接続されるように形成されているため、筐体（計測モジュール）はコンセントの奥側に配置されるようになる。これにより、コンセントの横に並べて筐体（計測モジュール）を設置する場合に比べ、壁面に必要な設置面積を小さくすることができる。そして、操作手段及び確認手段は、接続端子がコンセントに接続された状態、すなわち筐体がコンセントの奥側に配置された状態で、設置穴内に形成される取付枠とコンセントとの間の隙間を介して外部に臨むように設けられている。そのため、筐体をコンセントの奥側に配置しても、操作手段及び確認手段を容易に外部に露出させることが可能になり、利用者は、容易に操作手段の操作及び確認手段の視認を行うことができる。したがって、壁面に必要な設置面積を小さくしつつ、容易にペアリングを行うことができるようになる。
【００１１】
請求項２に記載の発明は、請求項１に記載の計測モジュールにおいて、前記筐体には、前記隙間内に配置されるように膨出した拡張収容部が形成されたことを要旨とする。
上記構成によれば、拡張収容部内に回路基板の一部等を収容することが可能になるため、筐体におけるコンセントの奥側に配置される部分の収容能力（容積）を小さくしても、該筐体全体で必要な収容能力を確保することができる。つまり、筐体におけるコンセントの奥側に配置される部分を小型化することができる。したがって、コンセントが埋め込まれる壁の内部に必要な計測モジュールの設置スペースを小さくすることができる。
【００１２】
請求項３に記載の発明は、請求項１又は２のいずれか一項に記載の計測モジュールにおいて、前記取付枠は、前記電源線が挿通される挿通孔を有する収容箱に固定されるものであって、前記電源端子は、前記挿通孔と対向するように設けられたことを要旨とする。
【００１３】
多くの場合、壁の設置穴内には、取付枠が固定されるとともにコンセントが収容される収容箱が予め設けられており、コンセントの設置作業の容易化等が図られている。そして、こうした収容箱には、その内側に電源線を引き込むための挿通孔が形成されている。したがって、上記構成のように電源端子を挿通孔と対向するように設けることで、容易に電源線を電源端子に対して装着することができる。一方、収容箱に取付枠を固定する構成では、この収容箱によってコンセントの奥側のスペースが制限される。そのため、収容箱に取付枠を固定する構成に対し、請求項２のように拡張収容部内を形成する構成を適用して筐体の収容能力を確保する効果は顕著ものとなる。
【００１４】
請求項４に記載の発明は、請求項３に記載の計測モジュールにおいて、前記収容箱には、前記取付枠を固定するための取付ネジが螺着される螺着部が内側に突出して形成されたものであって、前記筐体には、前記螺着部と嵌合する切欠き部が形成されたことを要旨とする。
【００１５】
上記構成によれば、収容箱内に無駄なスペースが形成されることを抑制して、筐体の収容能力が小さくなることを抑制できる。
請求項５に記載の発明は、請求項１〜４のいずれか一項に記載の計測モジュールにおいて、前記コンセントには、前記接続端子を保持する保持機構が設けられるとともに、前記保持機構による前記接続端子の保持を解除する解除操作部が奥側に開口する解除操作穴内に設けられたものであって、前記筐体は、前記解除操作穴の開口を閉塞しない形状とされたことを要旨とする。
【００１６】
上記構成によれば、コンセントの奥側に筐体を配置しても、解除操作穴の開口が該筐体によって閉塞されないため、計測モジュールをコンセントに接続した状態で解除操作部を操作でき、容易に接続端子を着脱することができる。
【００１７】
請求項６に記載の発明は、請求項５に記載の計測モジュールにおいて、前記筐体には、前記解除操作穴と対向する位置に貫通孔が形成されたことを要旨とする。
上記構成によれば、貫通孔を形成することで、筐体の外形形状を小さくせずに、該筐体を解除操作穴の開口を閉塞しない形状にできるため、筐体の収容能力が小さくなることを抑制できる。
【００１８】
請求項７に記載の発明は、請求項１〜６のいずれか一項に記載の計測モジュールと、前記計測モジュールから伝送される計測データを受信する通信部を有する受信モジュールと、を備えた計測システムであることを要旨とする。
【００１９】
請求項８に記載の発明は、請求項７に記載の計測システムにおいて、前記受信モジュールの通信部で受信された計測データを記憶する記憶部、及び前記計測データを表示する表示部を有する情報機器を備えたことを要旨とする。
【００２０】
上記各構成によれば、壁面に必要な計測モジュールの設置面積を小さくできるため、住宅や店舗等に容易に計測システムを導入することができる。
【発明の効果】
【００２１】
本発明によれば、壁面に必要な設置面積を小さくしつつ、計測モジュールの利便性を確保することができる。
【図面の簡単な説明】
【００２２】
【図１】一実施形態の計測システムの概略構成を示す模式図。
【図２】（ａ）は一実施形態の収容箱が設けられた状態の壁の設置穴近傍を示す正面図、（ｂ）は同じく収容箱にコンセントの取り付けられた取付枠が固定された状態の正面図、（ｃ）は同じく取付枠に化粧台を固定した状態の正面図、（ｄ）は同じく化粧台に化粧板を固定した状態の正面図。
【図３】コンセントの背面図。
【図４】一実施形態の計測モジュールの斜視図。
【図５】一実施形態の計測モジュールの側面図。
【図６】一実施形態の計測モジュールの正面図。
【図７】一実施形態の計測モジュールの背面図。
【図８】一実施形態の計測モジュールを上面図。
【図９】一実施形態の計測システムのブロック図。
【図１０】別例の計測モジュールの側面図。
【図１１】別例の計測モジュールの背面図。
【発明を実施するための形態】
【００２３】
以下、本発明を具体化した一実施形態を図面に従って説明する。
図１に示す計測システム１は、住宅や店舗の部屋等の壁２に設置された電源装置３の各コンセント４に接続される電気機器（負荷）５の消費電力等を計測するために用いられる。同図に示すように、計測システム１は、複数の電源装置３毎に設けられる複数の計測モジュール６と、受信モジュール７と、受信モジュール７が接続される情報機器としてのパソコン８とを備えている。計測モジュール６は、電気機器５で消費される電力に関する値をコンセント４毎に計測するとともに、無線通信を利用して計測した計測データを受信モジュール７に伝送する。なお、本実施形態の計測モジュール６は、電力に関する値として、電力、電流、電圧、積算電力量及び力率を計測する。そして、受信モジュール７によって受信された各計測モジュール６の計測データ（コンセント４毎の消費電力に関する値）は、パソコン８の表示部８ａ（例えば、ディスプレイ等）に表示されるようになっている。
【００２４】
詳述すると、図２（ａ）〜（ｄ）に示すように、壁２には、電源装置３を設置するための設置穴１１が形成されている。図２（ａ）に示すように、設置穴１１は、壁２の上下方向（図２における上下方向）に長い長方形状に形成されており、設置穴１１内には、壁２の手前側（壁面側）に開口した長方形箱状の収容箱１２が固定されている。収容箱１２の上壁部１２ａ及び下壁部１２ｂには、左右方向（図２における左右方向）中央部から内側に突出する螺着部１３がそれぞれ形成されている。また、上壁部１２ａには、上下方向に貫通した挿通孔１４が形成されており、この挿通孔１４を介して図示しない分電盤から延びる電源線１５が収容箱１２内に引き回されている。
【００２５】
図２（ｂ）に示すように、電源装置３は、直方体状に形成された複数（本実施形態では、２個）のコンセント４と、各コンセント４が取り付けられる取付枠１６とを備えている。各コンセント４には、電気機器５のプラグ５ａの栓刃（図示略）が嵌合する一対の差込口２１が形成されており、差込口２１内には、栓刃に接続される刃受部材（図示略）が設けられている。また、図３に示すように、各コンセント４には、その差込口２１が開口する手前側と反対の奥側に開口する複数対（本実施形態では、２対）の接続穴２２が左右方向に間隔を空けて形成されている。これら接続穴２２は、コンセント４の角部にそれぞれ配置されている。そして、接続穴２２には、後述する計測モジュール６の接続端子６５が挿入されることで、該接続端子６５が刃受部材に接続されるようになっている。さらに、各コンセント４には、接続穴２２に挿入された接続端子６５を保持する周知の保持機構２３が設けられるとともに、保持機構２３による接続端子６５の保持を解除する解除操作部（解除操作スイッチ）２４が奥側に開口する複数（本実施形態では、２個）の解除操作穴２５内に設けられている。これら解除操作穴２５は、コンセント４の長手方向に間隔を空けてそれぞれ配置されている。なお、保持機構２３及び解除操作部２４の詳細は、例えば特開２０１０−１７６９８３号公報を参照されたい。
【００２６】
図２（ｂ）に示すように、取付枠１６は、収容箱１２よりも細長い長方形枠状に形成されており、コンセント４は、取付枠１６の枠内においてその長手方向（壁２の上下方向）に間隔を空けて固定されている。また、取付枠１６は、その上枠部１６ａ及び下枠部１６ｂにそれぞれ形成されたネジ孔３１を介して取付ネジ３２が螺着部１３に螺着されることにより収容箱１２に固定されている。これにより、各コンセント４は、収容箱１２内に収容されて設置穴１１内に埋め込まれる態様で設置されている。そして、設置穴１１内には、取付枠１６及びコンセント４が設置された状態で、取付枠１６とコンセント４との間に隙間Ｓが形成されるようになっている。さらに、電源装置３は、図２（ｃ）に示すように、取付枠１６にそれぞれ形成されたネジ孔３３にネジ３４が螺着されることにより固定されるとともに設置穴１１よりも大きな長方形枠状に形成された化粧台３５と、図２（ｄ）に示すように、化粧台３５に装着される化粧板３６とを備えている。なお、化粧板３６には、各コンセント４と対向する位置に開口窓３６ａが形成されている。
【００２７】
次に、計測システムの構成について詳細に説明する。
図４に示すように、計測モジュール６は、直方体状の筐体４１を備えており、コンセント４の奥側に配置されるようになっている（図２（ｂ）参照）。筐体４１は、壁２の奥行き方向に二分割されており、手前側（コンセント４側）に配置される第１ケース４２と、奥側（収容箱１２側）に配置される第２ケース４３とを備えている。第１ケース４２は、奥側の側面が開口した長方形箱状に形成され、第２ケース４３は、手前側の側面が開口した長方形箱状に形成されている。
【００２８】
図５及び図６に示すように、第１ケース４２における手前側の前壁部４２ａには、上下方向中央から手前側に膨出して上記隙間Ｓ内に配置される拡張収容部４４が形成されている。拡張収容部４４は、第１ケース４２内に開口するとともに隙間Ｓを埋めるような四角箱状に形成されている。そして、拡張収容部４４における手前側の前壁部４４ａには、複数（本実施形態では、３個）の透過孔４５が形成されている。なお、これら透過孔４５は、前壁部４４ａの角部にそれぞれ配置されている。また、第１ケース４２の前壁部４２ａには、左右方向に間隔を空けて配置される複数対（本実施形態では、２対）の接続端子孔４６が各コンセント４の接続穴２２と対向する位置に形成されている。さらに、第１ケース４２には、複数対（本実施形態では、２対）の第１貫通孔４７が各コンセント４の解除操作穴２５と対向する位置にそれぞれ形成されている。さらにまた、第１ケース４２の上端部及び下端部には、収容箱１２の螺着部１３に嵌合する半円形状の第１切欠き部４８がそれぞれ形成されている。
【００２９】
図７に示すように、第２ケース４３における奥側の奥壁部４３ａには、電源端子孔５１が左右方向の一方側（図７における右側）寄りの位置に形成されている。また、第２ケース４３には、複数対（本実施形態では、２対）の第２貫通孔５２が各コンセント４の解除操作穴２５と対向する位置にそれぞれ形成されている。したがって、各コンセント４の解除操作穴２５は、第１及び第２貫通孔４７，５２と対向することで、筐体４１によってその開口が閉塞されないようになっている。つまり、筐体４１は、解除操作穴２５の開口を閉塞しない形状とされている。さらに、第２ケース４３の上端部及び下端部には、収容箱１２の螺着部１３に嵌合する半円形状の第２切欠き部５３がそれぞれ形成されている。
【００３０】
図５に示すように、筐体４１内は、回路基板６１が収容されている。回路基板６１は、第１ケース４２と第２ケース４３との間に配置された長方形板状のベース基板６２と、拡張収容部４４内に配置された拡張基板６３とを備えている。ベース基板６２には、電源線１５が接続される電源端子６４が第２ケース４３の電源端子孔５１と対向する位置に実装されている。そして、図８に示すように、電源端子６４は、その一部が電源端子孔５１から筐体４１の外部に突出し、収容箱１２の挿通孔１４と対向するようになっている。また、図５に示すように、ベース基板６２には、棒状に形成された複数対（本実施形態では、２対）の接続端子６５が第１ケース４２の接続端子孔４６と対向する位置に実装されている。なお、各接続端子６５は、電源端子６４に対して回路基板６１上の図示しない配線を介して接続されている。そして、各接続端子６５は接続端子孔４６を介して筐体４１の外部に突出し、各コンセント４の接続穴２２に奥側から挿入されるようになっている。つまり、接続端子６５は、筐体４１がコンセント４の奥側に配置された状態で該コンセント４に接続されるように形成されている。そして、コンセント４に接続される電気機器５には、電源線１５から計測モジュール６の電源端子６４及び接続端子６５を介して電力が供給されるようになっている。
【００３１】
図９に示すように、計測モジュール６には、回路基板６１に図示しない回路素子が実装されることにより、接続端子６５を介して電気機器５に供給される電力に関する値をコンセント４毎にそれぞれ計測する計測部７１、計測部７１で計測された計測データを受信モジュール７に伝送する通信部７２、及びこれらの作動を制御する制御部７３が設けられている。また、計測モジュール６には、受信モジュール７とのペアリング（認証）を行うためのペアリング信号を通信部７２から伝送させる操作スイッチ７５、受信モジュール７との通信状態を確認するための確認手段としての通信ランプ７６、及び接続端子６５からコンセント４への通電状態を表示する２つの通電ランプ７７が設けられている。この通信ランプ７６は、ペアリングが完了し、計測モジュール６から受信モジュール７へ計測データの伝送が可能な状態になると点灯するようになっており、各通電ランプ７７は、電源端子６４及び接続端子６５を介して各コンセント４に電力が供給される状態になると点灯するようになっている。なお、本実施形態の操作スイッチ７５には、人の指等と操作スイッチ７５に設けられた電極との間の静電容量の変化に基づいてオンオフする静電容量式のタッチスイッチが用いられており、通信ランプ７６及び各通電ランプ７７には、ＬＥＤが用いられている。
【００３２】
そして、図６に示すように、操作スイッチ７５は、拡張収容部４４の前壁部４４ａにおける中央部と対向するように拡張基板６３に実装されており、前壁部４４ａに表面における中央部に指等が接触すると、ペアリング信号が伝送されるようになっている。つまり、操作スイッチ７５及び前壁部４４ａにより操作手段が構成されている。また、通信ランプ７６及び各通電ランプ７７は、前壁部４４ａに形成された透過孔４５と対向するように拡張基板６３にそれぞれ実装されている。そして、図２（ｂ）に示すように、拡張収容部４４が隙間Ｓ内に配置されることで、前壁部４４ａ、通信ランプ７６及び各通電ランプ７７は、隙間Ｓを介して外部に臨むようになっている。
【００３３】
図９に示すように、受信モジュール７には、計測モジュール６の通信部７２から伝送される計測データを受信する通信部８１、及び通信部８１の作動を制御する制御部８２が設けられている。また、受信モジュール７には、計測モジュール６とのペアリングを行うためのペアリング信号を通信部８１から伝送させる操作スイッチ８３が設けられている。なお、受信モジュール７には、ＵＳＢ（Universal Serial Bus）規格に基づいたインターフェースであるＵＳＢ端子（図示略）が設けられており、このＵＳＢ端子を介してパソコン８に接続されている。そして、受信モジュール７の制御部８２は、パソコン８の制御部９１を介して計測データを記憶部９２に記憶させるとともに、表示部８ａに計測データを表示するようになっている。
【００３４】
なお、本実施形態の各計測モジュール６と受信モジュール７との間では、Ｂｌｕｅｔｏｏｔｈ（登録商標）やＺｉｇＢｅｅ（登録商標）等の各種の通信規格に基づいた方法によって近距離無線通信が行われる。そして、受信モジュール７から離れた位置に設置された計測モジュール６は、マルチホップ通信技術を利用し、受信モジュール７との間に設置された別の計測モジュール６を経由させながらその計測データを受信モジュール７に伝送するようになっている。また、ペアリングは、受信モジュール７の操作スイッチ８３を操作して受信モジュール７をペアリング可能な状態としてから所定時間（例えば、１０秒程度）以内に、計測モジュール６の操作スイッチ７５を操作してペアリング信号を通信部７２から伝送させることにより行われるようになっている。
【００３５】
次に、本実施形態の計測モジュール（計測システム）の作用について説明する。
上記のように接続端子６５が奥側からコンセント４の接続穴２２に挿入されるように形成されているため、筐体４１（計測モジュール６）は各コンセント４の奥側に配置されるようになる。そして、図２（ｂ）及び図２（ｃ）に示すように、操作スイッチ７５及び通信ランプ７６は、接続端子６５がコンセント４に接続された状態、すなわち計測モジュール６がコンセント４の奥側に配置された状態で、隙間Ｓを介して外部に臨む位置に設けられているため、化粧板３６を取り外すことで容易に外部に露出するようになっている。
【００３６】
次に、本実施形態の効果について記載する。
（１）接続端子６５を奥側からコンセント４の接続穴２２に挿入されるように形成し、筐体４１（計測モジュール６）がコンセント４の奥側に配置されるようにしたため、コンセント４の横に並べて筐体４１（計測モジュール６）を設置する場合に比べ、壁２の壁面に必要な設置面積を小さくすることができる。これにより、住宅や店舗等に容易に計測システム１を導入することができる。そして、計測モジュール６がコンセント４の奥側に配置されていても、上記のように電源装置３の化粧板３６を取り外すことで、操作スイッチ７５及び通信ランプ７６が外部に露出するため、利用者は、容易に操作スイッチ７５の操作及び通信ランプ７６の視認を行うことができる。したがって、壁面に必要な設置面積を小さくしつつ、容易にペアリングを行うことができるようになる。
【００３７】
（２）筐体４１に、隙間Ｓ内に配置されるように膨出した拡張収容部４４を形成したため、拡張収容部４４内に回路基板６１を構成する拡張基板６３等を収容することが可能になる。そのため、筐体４１におけるコンセント４の奥側に配置される部分の収容能力（容積）を小さくしても、該筐体４１全体で必要な収容能力を確保することができる。つまり、筐体４１におけるコンセント４の奥側に配置される部分を小型化することができる。したがって、コンセント４が埋め込まれる壁の内部に必要な計測モジュール６の設置スペースを小さくすることができる。
【００３８】
（３）取付枠１６を、電源線１５が挿通される挿通孔１４を有する収容箱１２に固定することで、コンセント４を壁２の設置穴１１に設置するようにしたため、例えば壁２に取付枠１６を直接固定する場合に比べ、コンセント４の設置作業が容易になる。そして、電源端子６４を収容箱１２における電源線１５が挿通される挿通孔１４と対向するように設けたため、容易に電源線１５を電源端子６４に対して装着することができる。一方、収容箱１２に取付枠１６を固定する構成では、この収容箱１２によってコンセント４の奥側のスペースが制限される。そのため、収容箱１２に取付枠１６を固定する構成に対し、本実施形態のように拡張収容部４４内を形成する構成を適用して筐体４１の収容能力を確保する効果は顕著ものとなる。
【００３９】
（４）筐体４１を構成する第１及び第２ケース４２，４３に、収容箱１２の螺着部１３と嵌合する第１及び第２切欠き部４８，５３をそれぞれ形成したため、収容箱１２内に無駄なスペースが形成されることを抑制して、筐体４１の収容能力が小さくなることを抑制できる。
【００４０】
（５）筐体４１を解除操作穴２５の開口を閉塞しない形状としたため、コンセント４の奥側に筐体４１を配置しても、解除操作穴２５の開口が筐体４１によって閉塞されなくなる。これにより、計測モジュール６をコンセント４に接続した状態で解除操作部２４を操作でき、容易に接続端子６５を着脱することができる。
【００４１】
（６）筐体４１を構成する第１及び第２ケース４２，４３に、コンセント４の解除操作穴２５と対向する位置に第１及び第２貫通孔４７，５２を形成したため、筐体４１の外形形状を小さくせずに筐体４１を解除操作穴２５の開口を閉塞しない形状にできる。これにより、筐体４１の収容能力が小さくなることを抑制できる。
【００４２】
なお、上記実施形態は、これを適宜変更した以下の態様にて実施することもできる。
・上記実施形態では、筐体４１の第１ケース４２に拡張収容部４４を形成したが、これに限らず、例えば図１０に示すように、拡張収容部４４を形成せず、第１ケース４２の前壁部４２ａを平坦な形状としてもよい。なお、同図に示す例では、操作スイッチ７５は、前壁部４２ａにおける隙間Ｓに臨む部位と対向するようにベース基板６２に実装されるとともに、通信ランプ７６及び通電ランプ７７は、前壁部４２ａにおける隙間Ｓに臨む部位に形成された透過孔１０１と対向するようにベース基板６２に実装されている。
【００４３】
・上記実施形態では、第１及び第２ケース４２，４３にコンセント４の解除操作穴２５と対向する位置に第１及び第２貫通孔４７，５２を形成することで筐体４１が解除操作穴２５の開口を閉塞しない形状となるようにした。しかし、これに限らず、例えば図１１に示すように、筐体４１の左右方向の寸法を解除操作穴２５間の左右方向の間隔よりも小さくすることで、筐体４１が解除操作穴２５の開口を閉塞しない形状となるようにしてもよい。なお、筐体４１を解除操作穴２５の開口を閉塞する形状としてもよい。
【００４４】
・上記実施形態において、電源端子６４が収容箱１２の挿通孔１４と対向しないように設けてもよい。
・上記実施形態では、操作スイッチ７５として静電容量式のタッチスイッチを用いたが、これに限らず、例えば機械的な接点を有するスイッチを用いてもよい。なお、この場合には、拡張収容部４４の前壁部４４ａにスイッチの操作部（操作手段）を露出させるための開口が形成される。また、通信ランプ７６及び通電ランプ７７としてＬＥＤを用いたが、これに限らず、例えば電球等を用いてもよい。
【００４５】
・上記実施形態では、第１及び第２切欠き部５３は、半円形状に形成したが、これに限らず、例えば矩形状としてもよい。また第１及び第２ケース４２，４３に第１及び第２切欠き部４８，５３を形成しなくてもよい。
【００４６】
・上記実施形態では、取付枠１６を長方形枠状に形成したが、これに限らず、例えばコ字状に形成してもよい。
・上記実施形態では、計測モジュール６は電力に関する値として、電力、電流、電圧、積算電力量及び力率を計測したが、これに限らず、電力、電流、電圧及び積算電力量の少なくとも１つを計測できればよい。
【００４７】
・上記実施形態では、情報機器としてパソコン８を用いたが、これに限らず、例えば高機能携帯電話（スマートフォン）やタブレット端末等を用いてもよい。なお、この場合に、情報機器に受信モジュールを一体化させてもよい。
【００４８】
・上記実施形態では、本発明を取付枠１６を設置穴１１内に設けられた収容箱１２に固定することにより壁２に設置されるコンセント４用の計測モジュール６に適用したが、これに限らず、例えば取付枠１６が壁２に直接固定されることにより壁２に設置されるコンセント４用の計測モジュール６に適用してもよい。
【００４９】
・上記実施形態では、本発明を２個のコンセント４を有する電源装置３に用いられる計測モジュール６に適用したが、これに限らず、１個又は３個以上のコンセント４を有する電源装置３や、コンセント４とアース端子等を有する電源装置３に用いられる計測モジュール６に適用してもよい。なお、この場合、計測モジュール６には、接続端子孔４６、第１貫通孔４７、第２貫通孔５２及び接続端子６５の各対は、電源装置３に設けられたコンセント４の数と同数設けられることになる。さらに、上記実施形態ではコンセント４の電圧については特に言及しなかったが、例えば１００Ｖ用や２００Ｖ用等でもよいことは言うまでもない。
【符号の説明】
【００５０】
１…計測システム、２…壁、３…電源装置、４…コンセント、５…電気機器、６…計測モジュール、７…受信モジュール、８…パソコン、８ａ…表示部、１１…設置穴、１２…収容箱、１３…螺着部、１４…挿通孔、１５…電源線、１６…取付枠、２１…差込口、２２…接続穴、２３…保持機構、２４…解除操作部、２５…解除操作穴、３２…取付ネジ、３６…化粧板、４１…筐体、４２…第１ケース、４３…第２ケース、４４…拡張収容部、４７…第１貫通孔、４８…第１切欠き部、５２…第２貫通孔、５３…第２切欠き部、６１…回路基板、６４…電源端子、６５…接続端子、７１…計測部、７２，８１…通信部、７３，８２，９１…制御部、７５，８３…操作スイッチ、７６…通信ランプ、７７…通電ランプ、９２…記憶部、Ｓ…隙間。
【図１】
2014059166.tif 000003
【図２】
2014059166.tif 000004
【図３】
2014059166.tif 000005
【図４】
2014059166.tif 000006
【図５】
2014059166.tif 000007
【図６】
2014059166.tif 000008
【図７】
2014059166.tif 000009
【図８】
2014059166.tif 000010
【図９】
2014059166.tif 000011
【図１０】
2014059166.tif 000012
【図１１】
2014059166.tif 000013